(57)【要約】エレベータかごに接続されているエレベータ用移動ケーブルを保護するための例示的な装置は、エレベータかご又は移動ケーブルの一方に固定されるように構成されたデフレクタを備える。デフレクタは、エレベータかごが昇降路の底部の上方の少なくとも選択された高さにあるとき、移動ケーブルが、関連付けられたエレベータかごの下方にエレベータかごの底部から第１の距離で延在することを可能にする。第１の距離は、移動ケーブルの固有の動的屈曲半径に少なくとも等しい。デフレクタは、移動ケーブルが選択された高さより下方にあるときに、移動ケーブルがエレベータかごの底部の下方に固有の動的屈曲半径よりも小さい第２の距離で延在することを容易にする。
2015506884.tif 000002
【特許請求の範囲】
【請求項１】
エレベータかごに接続されたエレベータ用移動ケーブルを保護する装置であって、
エレベータかご又は前記移動ケーブルの少なくとも一方に固定されるように構成されたデフレクタを備え、
前記デフレクタは、前記エレベータかごが昇降路底部の上方における少なくとも選択された高さにあるときに、前記移動ケーブルが、対応するエレベータかごの下方において、前記エレベータかごの底部から第１の距離に亘って延在することを可能にし、前記第１の距離は、前記移動ケーブルの固有の動的屈曲半径に少なくとも等しく、
前記デフレクタは、前記エレベータかごが前記選択された高さより下方にあるときに、前記移動ケーブルが、前記エレベータかごの底部の下方において、前記固有の動的屈曲半径よりも小さい第２の距離に亘って延在することを促進することを特徴とする装置。
【請求項２】
前記デフレクタが、エレベータかごに固定されるように構成されたブラケットを備えることを特徴とする請求項１に記載の装置。
【請求項３】
前記ブラケットが、
水平方向に延びる第１の部分と、
垂直方向に延びる第２の部分と、
第１の部分と第２の部分との間に位置する湾曲部分と、
を備えることを特徴とする請求項２に記載の装置。
【請求項４】
垂直方向に延びる第２の部分が、前記移動ケーブルに接触するように構成された接触面と、前記接触面に隣接する少なくとも１つの案内面と、を備え、
前記案内面は、前記移動ケーブルを案内し前記接触面と接触させるように配向されていることを特徴とする請求項３に記載の装置。
【請求項５】
２つの案内面を備え、一方の案内面が前記接触面の第１の側にあり、他方の案内面が前記接触面の他方の側にあることを特徴とする請求項４に記載の装置。
【請求項６】
前記デフレクタはスリングを備え、該スリングは、前記移動ケーブルに固定されるように構成された第１の端部と、前記昇降路の静止面に固定されるように構成された第２の端部と、を有することを特徴とする請求項１に記載の装置。
【請求項７】
前記デフレクタは、前記静止面に対して前記スリングを弾性的に支持するために、前記スリングの前記第１の端部又は前記第２の端部のうちの少なくとも一方の近傍に弾性部材を備えることを特徴とする請求項６に記載の装置。
【請求項８】
前記デフレクタが、ばねを備えることを特徴とする請求項７に記載の装置。
【請求項９】
前記デフレクタは、
前記移動ケーブルに固定されたキャッチ部材と、
前記エレベータかご底部の下方において前記移動ケーブルが前記第２の距離に亘って延在することを促進するように前記キャッチ部材と協働するリフト部材と、
を備えることを特徴とする請求項１に記載の装置。
【請求項１０】
前記デフレクタは、前記リフト部材に関連付けられたムーバを備え、
前記ムーバは、前記エレベータかごが前記選択された高さより下方に移動すると、これに応じて前記リフト部材を移動させるように構成されていることを特徴とする請求項９に記載の装置。
【請求項１１】
前記ムーバの下方への移動によって前記リフト部材が上方に移動するように、前記リフト部材及び前記ムーバが互いに連結されていることを特徴とする請求項１０に記載の装置。
【請求項１２】
前記エレベータかごに支持されるように構成されたアクチュエータを備え、
前記エレベータかごが前記選択された高さより下方に移動したときに、前記アクチュエータによって前記ムーバが下方へと移動するように、アクチュエータが前記エレベータかごに支持されていることを特徴とする請求項１０に記載の装置。
【請求項１３】
昇降路内で移動するように支持されたエレベータかごと、
前記昇降路に対する所定位置において支持された１つの端部と、前記エレベータかごに連結された他の１つの端部と、を有する移動ケーブルと、
前記エレベータかご又は前記移動ケーブルの少なくとも一方に固定されるように構成されたデフレクタと、
を備えるエレベータシステムであって、
前記デフレクタは、前記エレベータかごが昇降路底部の上方における少なくとも選択された高さにあるときに、前記移動ケーブルが、対応するエレベータかごの下方において、前記エレベータかごの底部から第１の距離に亘って延在することを可能にし、前記第１の距離は、前記移動ケーブルの固有の動的屈曲半径に少なくとも等しく、
前記デフレクタは、前記エレベータかごが前記選択された高さより下方にあるときに、前記移動ケーブルが、前記エレベータかごの底部の下方において、前記固有の動的屈曲半径よりも小さい第２の距離に亘って延在することを促進することを特徴とするエレベータシステム。
【請求項１４】
前記デフレクタは、前記エレベータかごに固定されたブラケットを備えることを特徴とする請求項１３に記載のエレベータシステム。
【請求項１５】
前記ブラケットが、
水平方向に延びる第１の部分と、
垂直方向に延びる第２の部分と、
第１の部分と第２の部分との間に位置する湾曲部分と、
を備えることを特徴とする請求項１４に記載のエレベータシステム。
【請求項１６】
垂直方向に延びる第２の部分は、前記エレベータかごが前記昇降路底部に近づくと前記移動ケーブルに接触するように構成された接触面と、前記接触面に隣接する少なくとも１つの案内面と、を有し、
前記案内面は、前記移動ケーブルを案内し前記接触面と接触させるように配向されていることを特徴とする請求項１５に記載のエレベータシステム。
【請求項１７】
２つの案内面を備え、一方の案内面が前記第２の部分の第１の側にあり、他方の案内面が前記第２の部分の他方の側にあり、前記案内面は、前記接触面の両側にあることを特徴とする請求項１６に記載のエレベータシステム。
【請求項１８】
前記デフレクタが、前記移動ケーブルに固定された第１の端部と、前記昇降路の静止面に固定された第２の端部と、を有するスリングを備え、該スリングは、前記移動ケーブルの長さよりも短い長さを有することを特徴とする請求項１３に記載のエレベータシステム。
【請求項１９】
前記デフレクタが、前記静止面に対して前記スリングを弾性的に支持するために、前記スリングの前記第２の端部の近傍に弾性部材を備えることを特徴とする請求項１８に記載のエレベータシステム。
【請求項２０】
前記デフレクタがばねを備えることを特徴とする請求項１９に記載のエレベータシステム。
【請求項２１】
前記デフレクタは、
前記移動ケーブルに固定されたキャッチ部材と、
前記エレベータかごの底部の下方において前記移動ケーブルが前記第２の距離に亘って延在することを促進するように前記キャッチ部材と協働するリフト部材と、
を備えることを特徴とする請求項１３に記載のエレベータシステム。
【請求項２２】
前記デフレクタは、前記リフト部材に関連付けられたムーバを備え、
前記ムーバは、前記エレベータかごが前記選択された高さより下方に移動すると、これに応じて前記リフト部材を移動させるように構成されていることを特徴とする請求項２１に記載のエレベータシステム。
【請求項２３】
前記ムーバの下方への移動により、前記リフト部材が上方に移動するように、前記リフト部材及び前記ムーバが共に連結されていることを特徴とする請求項２２に記載のエレベータシステム。
【請求項２４】
前記エレベータかごに支持されるように構成されたアクチュエータを備え、
前記エレベータかごが前記選択された高さより下方に移動すると、前記アクチュエータにより前記ムーバが下方へと移動することを特徴とする請求項２２に記載のエレベータシステム。
【請求項２５】
エレベータかごに固定された１つの端部と、昇降路に対して所定位置に固定された第２の端部と、を有するエレベータ用移動ケーブルを保護する方法であって、
前記エレベータかご又は前記移動ケーブルの少なくとも一方にデフレクタを提供するステップと、
前記エレベータかごが昇降路底部の上方における少なくとも選択された高さにあるときに、前記移動ケーブルが、前記エレベータかごの下方において前記エレベータかごの底部から第１の距離に亘って延在することを可能にするステップと、
前記エレベータかごが前記選択された高さより下方にあるときに、前記移動ケーブルが、前記エレベータかごの下方において第２の距離に亘って延在するように、前記デフレクタを用いて前記移動ケーブルの方向を変えるステップと、
を含み、
前記第１の距離は、前記移動ケーブルの固有の動的屈曲半径に少なくとも等しく、前記第２の距離は、前記固有の動的屈曲半径より小さいことを特徴とする方法。
【発明の詳細な説明】
【技術分野】
【０００１】
本発明は、エレベータ用移動ケーブルの保護に関する。
【背景技術】
【０００２】
エレベータシステムは、例えば、建物内の異なる階の間に亘って乗客を運搬するように昇降路内を移動するエレベータかごを含む。移動ケーブルは、エレベータかごの構成要素に電力を供給するものであって、例えば、エレベータかご上の装置と、昇降路の頂部近傍に固定されたコントローラとの間における信号通信を容易にする。通常、移動ケーブルの一方の端部は、昇降路の頂部近傍に位置する、昇降路に対する所定位置に固定されている。移動ケーブルの他方の端部は、エレベータかごの一部分に固定されている。
【０００３】
移動ケーブルの長さは、通常、最下階乗場と最上階乗場との間におけるエレベータかごの走行距離によって決定される。移動ケーブルの一部分は、通常、エレベータかごの下方に延在している。この部分は、通常、移動ケーブルの構造に依存する固有の動的屈曲半径を有している。昇降路内において固有の動的屈曲半径に対応できない場合には、移動ケーブルに望ましくない揺れが生じることがある。例えば、固有の半径以外の半径を有する屈曲部を備えた移動ケーブルは、揺れを示すことがある。
【０００４】
エレベータシステムが占める空間を減少させることがエレベータシステムにおける最近の傾向となっている。業界における省スペースの取り組みの例として、昇降路の頂部近傍にある機械室を排除するとともに、昇降路の幅を減少させることが挙げられる。あるエレベータシステムでは、昇降路の底部におけるピットの深さを減少させている。ピットの寸法を減少させることにより、エレベータシステムに要求される空間が減少するという利点が得られる。
【発明の概要】
【発明が解決しようとする課題】
【０００５】
しかし、ピットの深さを減少させることによって、移動ケーブルに関連する課題が生じる。ピットの深さが、移動ケーブルの固有の動的屈曲半径に対応するには不十分である場合、エレベータかごの下方に延在する移動ケーブル部分がピットの床又はピット内の他のシステム構成要素に接触する恐れがある。このような接触は望ましくない。
【課題を解決するための手段】
【０００６】
エレベータかごに接続されたエレベータ用移動ケーブルを保護する例示的な装置は、エレベータかご又は前記移動ケーブルの少なくとも一方に固定されるように構成されたデフレクタを備える。デフレクタは、エレベータかごが昇降路底部の上方における少なくとも選択された高さにあるときに、移動ケーブルが、対応するエレベータかごの下方において、エレベータかごの底部から第１の距離に亘って延在することを可能にし、第１の距離は、移動ケーブルの固有の動的屈曲半径に少なくとも等しい。デフレクタは、エレベータかごが選択された高さより下方にあるときに、移動ケーブルの一部分が、エレベータかごの底部の下方において、固有の動的屈曲半径よりも小さい第２の距離に亘って延在することを促進する。
【０００７】
前記段落の装置の１つまたは複数の特徴を有する１つの例示的な装置では、デフレクタは、エレベータかごに固定されるように構成されたブラケットを備える。
【０００８】
前記段落のいずれかの装置の１つまたは複数の特徴を有する例示的な装置では、ブラケットは、追加的又は代替的に、水平方向に延びる第１の部分と、垂直方向に延びる第２の部分と、第１の部分と第２の部分との間に位置する湾曲部分と、を備える。
【０００９】
前記３つの段落のいずれかの装置の１つまたは複数の特徴を有する例示的な装置では、垂直方向に延びる第２の部分が、移動ケーブルに接触するように構成された接触面と、接触面に隣接する少なくとも１つの案内面と、を備える。案内面は、移動ケーブルを案内し接触面と接触させるように配向されている。
【００１０】
前記４つの段落のいずれかの装置の１つまたは複数の特徴を有する例示的な装置では、装置は、追加的又は代替的に２つの案内面を含む。一方の案内面は接触面の第１の側にあり、他方の案内面は接触面の他方の側にある。
【００１１】
前記段落のいずれかの装置の１つまたは複数の特徴を有する別の例示的な装置では、デフレクタは追加的又は代替的にスリングを備え、該スリングは、移動ケーブルに固定されるように構成された第１の端部と、昇降路の静止面に固定されるように構成された第２の端部と、を有する。
【００１２】
前記段落の装置の１つまたは複数の特徴を有する例示的な装置では、デフレクタは、静止面に対してスリングを弾性的に支持するために、スリングの第１の端部又は第２の端部のうちの少なくとも一方の近傍に弾性部材を追加的又は代替的に備える。
【００１３】
前記２つの段落のいずれかの装置の１つまたは複数の特徴を有する例示的な装置では、デフレクタは、追加的又は代替的にばねを備える。
【００１４】
前記段落の装置の１つまたは複数の特徴を有する例示的な装置では、デフレクタは、移動ケーブルに固定されたキャッチ部材と、エレベータかご底部の下方において移動ケーブルが第２の距離に亘って延在することを促進するようにキャッチ部材と協働するリフト部材と、を備える。前記段落の装置の１つまたは複数の特徴を有する例示的な装置では、デフレクタは、リフト部材に関連付けられたムーバを備え、ムーバは、エレベータかごが選択された高さより下方に移動すると、これに応じてリフト部材を移動させるように構成されている。
【００１５】
前記２つの段落のいずれかの装置の１つまたは複数の特徴を有する例示的な装置では、ムーバの下方への移動によってリフト部材が上方に移動するように、リフト部材及びムーバが互いに連結されている。
【００１６】
前記３つの段落のいずれかの装置の１つまたは複数の特徴を有する例示的な装置では、デフレクタは、エレベータかごに支持されるように構成されたアクチュエータを備え、エレベータかごが選択された高さより下方に移動したときに、アクチュエータによってムーバが下方へと移動するように、アクチュエータがエレベータかごに支持されている。
【００１７】
例示的なエレベータシステムは、昇降路内で移動するように支持されたエレベータかごを含む。移動ケーブルは、昇降路に対する所定位置において支持された１つの端部と、エレベータかごに連結された他の１つの端部と、を有する。デフレクタは、エレベータかご又は移動ケーブルのうちの少なくとも１つに固定されるように構成される。デフレクタは、エレベータかごが昇降路底部の上方における少なくとも選択された高さにあるときに、移動ケーブルが、対応するエレベータかごの下方において、エレベータかごの底部から第１の距離に亘って延在することを可能にし、第１の距離は、移動ケーブルの固有の動的屈曲半径に少なくとも等しい。デフレクタは、エレベータかごが選択された高さより下方にあるときに、移動ケーブルが、エレベータかごの底部の下方において、固有の動的屈曲半径よりも小さい第２の距離に亘って延在することを促進する。
【００１８】
前記段落のシステムの１つまたは複数の特徴を有するエレベータシステムの一例において、デフレクタは、エレベータかごに固定されたブラケットを備える。
【００１９】
前記段落のいずれかのシステムの１つまたは複数の特徴を有する例示的エレベータシステムでは、ブラケットは水平方向に延びる第１の部分と、垂直方向に延びる第２の部分と、第１の部分と第２の部分との間に位置する湾曲部分と、を追加的又は代替的に備える。
【００２０】
前記３つの段落のいずれかのシステムの１つまたは複数の特徴を有する例示的エレベータシステムでは、垂直方向に延びる第２の部分は、エレベータかごが昇降路底部に近づくと移動ケーブルに接触するように構成された接触面と、接触面に隣接する少なくとも１つの案内面と、を有し、案内面は、移動ケーブルを案内し接触面と接触させるように配向されている。
【００２１】
前記４つの段落のいずれかのシステムの１つまたは複数の特徴を有する例示的エレベータシステムでは、システムは、追加的又は代替的に２つの案内面を含む。案内面のうち一方の案内面は接触面の第１の側にあり、案内面のうち他方の案内面は接触面の他方の側にある。
【００２２】
前記段落のいずれかのシステムの１つまたは複数の特徴を有する別の例示的エレベータシステムでは、デフレクタは、移動ケーブルに固定された第１の端部と、昇降路の静止面に固定されるように構成された第２端部と、を有するスリングを追加的又は代替的に含む。
【００２３】
前記段落のシステムの１つまたは複数の特徴を有する例示的エレベータシステムでは、デフレクタは、静止面に対してスリングを弾性的に支持するために、スリングの第２の端部の近くに弾性部材を追加的又は代替的に含む。
【００２４】
前記２つの段落のいずれかのシステムの１つまたは複数の特徴を有する例示的エレベータシステムでは、デフレクタは、追加的又は代替的にばねを含む。
【００２５】
前記段落のいずれかのシステムの１つまたは複数の特徴を有する例示的エレベータシステムでは、デフレクタは、移動ケーブルに固定されたキャッチ部材と、エレベータかごの底部の下方において移動ケーブルが第２の距離に亘って延在することを促進するようにキャッチ部材と協働するリフト部材と、を備える。
【００２６】
前記段落のいずれかのシステムの１つまたは複数の特徴を有する例示的エレベータシステムでは、デフレクタは、リフト部材に関連付けられたムーバを備え、ムーバは、エレベータかごが選択された高さより下方に移動すると、これに応じてリフト部材を移動させるように構成されている。
【００２７】
前記段落のいずれかのシステムの１つまたは複数の特徴を有する例示的エレベータシステムでは、ムーバの下方への移動により、リフト部材が上方に移動するように、リフト部材及びムーバが共に連結されている。
【００２８】
前記段落のいずれかのシステムの１つまたは複数の特徴を有する例示的エレベータシステムでは、デフレクタは、エレベータかごに支持されるように構成されたアクチュエータを備え、エレベータかごが選択された高さより下方に移動すると、アクチュエータによりムーバが下方へと移動する。
【００２９】
エレベータかごに固定された１つの端部と、昇降路に対して所定位置に固定された第２の端部とを有する、エレベータ用移動ケーブルを保護する例示的な方法は、エレベータかご又は移動ケーブルの少なくとも一方にデフレクタを提供するステップを含む。移動ケーブルの一部分は、エレベータかごが昇降路底部の上方における少なくとも選択された高さにあるときに、エレベータかごの下方においてエレベータかごの底部から第１の距離に亘って延在する。第１の距離は、移動ケーブルの固有の動的屈曲半径に少なくとも等しい。エレベータかごが選択された高さより下方にあるときに、デフレクタを用いて移動ケーブルの一部分の方向を変えることにより、移動ケーブルがエレベータかごの下方において第２の距離に亘って延在する。第２の距離は、固有の動的屈曲半径より小さい。
【００３０】
開示される例示的な実施例の種々の特徴及び利点は、以下の発明を実施するための形態から当業者に明らかになるであろう。発明を実施するための形態に付随する図面について、以下簡単に説明する。
【図面の簡単な説明】
【００３１】
【図１】例示的なエレベータシステムの選択された部分を概略的に示す図。
【図２】エレベータ用移動ケーブルを保護する装置の例示的な実施例を示す図。
【図３】図２の装置をより詳細に示した図。
【図４】エレベータかごが昇降路の底部に近づく際における使用時の図２及び図３の装置を概略的に示す図。
【図５】エレベータかごが昇降路の底部近傍に向けてさらに下降した後の図４の装置を示す図。
【図６】エレベータ用移動ケーブルを保護する他の例示的な装置を概略的に示す図。
【図７】エレベータかごが昇降路の底部に近づく際における使用時の図６の例を概略的に示す図。
【図８】エレベータかごが昇降路の底部近傍に向けてさらに下方へ移動する際の図７の装置を示す。
【図９】エレベータかごが昇降路内の最も低い位置まで下降した後の図８の装置を示す図。
【図１０】エレベータ用移動ケーブルを保護する他の例示的な装置を概略的に示す図。
【図１１】エレベータかごが昇降路の底部に近づく際における使用時の図１０の装置を示す図。
【図１２】エレベータかごが昇降路の底部近傍に向けてさらに移動する際の図１１の装置を示す図。
【発明を実施するための形態】
【００３２】
図１は、例示的なエレベータシステム２０の選択した部分を概略的に示している。選択した部分のみが図示されている。当業者であれば、エレベータシステムには他の多くの構成要素（例えば、レール、バッファ、ガバナ、マシン、ブレーキ、駆動装置、コントローラ、トラクション部材など）が含まれていてもよく、また開示する例示的な実施例が他のエレベータシステム（例えば、異なるローピング方式など）に利用できることを理解されるであろう。上記のような構成要素は当業者によって既に認識されているため、簡潔に示すため、上記のような構成要素を説明及び図面から省略している。
【００３３】
例示的なエレベータシステム２０は、エレベータかご２２を含む。移動ケーブル２４は、エレベータかご２２と関連付けられている。移動ケーブル２４の第１の端部２６は、エレベータかご２２に固定されており、第２の端部２８は、昇降路の壁部３０に対する所定位置に固定されている。移動ケーブル２４の第２の端部２８は、図示の例では、昇降路の壁部３０に支持されたコントローラ３２の適切な部分に接続されるように配置されている。
【００３４】
移動ケーブル２４は、エレベータかご２２に関連付けられた構成要素に電力を供給するため、エレベータかご２２に関連付けられたコントローラ３２と構成要素との間で制御信号通信を供給するため、又は特定の設置の必要性に応じて上記の双方を供給するために有用である。移動ケーブル２４は、本実施例では、公知の構成及び構造を有する。
【００３５】
多くのエレベータシステムでは、昇降路底部におけるピットは、エレベータかご２２が昇降路内の最も低い位置にあるときにエレベータかご２２の下方に位置する移動ケーブル２４の部分３４に対応するのに十分な深さを有している。当該部分３４は、例えば、移動ケーブル２４の構成に基づいて、固有の屈曲半径を有する。固有の動的屈曲半径は、ケーブル製造業者によって提示される。例えば、通常の移動ケーブルは、３００ミリメートルの固有の動的屈曲半径を有する。
【００３６】
エレベータシステムが占める空間を減少させることが最近の傾向であり、空間の減少にはエレベータのピットの寸法を減少させたいという要求が含まれる。従来のエレベータのピットは、１〜１．５メートル程度又はそれ以上の深さを有している。いくつかの例では、エレベータシステムが占める空間を減少させることは、ピットの深さを減少させることを含む。例えば、約０．３メートル又はそれ以下の深さを有する浅いピットが望まれる場合がある。上記深さは、ほとんどのエレベータ用移動ケーブルの固有の屈曲半径に対応することができない。
【００３７】
図２及び図３は、移動ケーブル２４の保護装置の一実施例を示している。該装置は、エレベータかご２２の下方に位置する移動ケーブル２４の部分３４の固有の屈曲半径に対応するために十分な深さを有していないピットを備えた昇降路底部にエレベータかご２２が接近したときに、移動ケーブル２４を保護する場合に有益である。本実施例における装置は、エレベータかご２２に固定されたデフレクタ４０を含む。デフレクタ４０は、移動ケーブル２４とエレベータかご２２との間の水平方向の最短距離を維持するとともに、エレベータかごが昇降路底部の近傍に位置するときに移動ケーブル２４の部分３４をエレベータかご２２の底部近傍へと移動させる。エレベータかご２２が少なくとも昇降路底部の上方における選択された高さに位置する場合、部分３４は、デフレクタ４０によって移動ケーブル２４の固有の屈曲半径と少なくとも等しいエレベータかご底部からの距離に位置することができる。エレベータかごが前記選択された高さよりも下方に位置する場合には、部分３４は、デフレクタ４０によって固有の屈曲半径よりもエレベータかご２２の底部近傍へと容易に移動することができる。
【００３８】
図示するデフレクタ４０は、水平方向に延びる第１の部分４２と、湾曲部分４４と、垂直方向に延びる第２の部分４６と、を含む。第１の部分４２、湾曲部分４４及び第２の部分４６によって、相対的に硬質なブラケットが形成される。ブラケットは、エレベータかご２２が昇降路の底部近傍にあるときに移動ケーブル２４の部分３４の方向を変える。一実施例では、デフレクタ４０は金属片からなる。図示の例では、第１の部分４２及び湾曲部分４４はそれぞれ、１つの金属片から形成され、第２の部分４６は、他方の金属片に固定される第２の金属片から形成される。本開示の利益を享受する当業者であれば、他のデフレクタ構成であってもよいことを理解されるであろう。
【００３９】
本実施例では、湾曲部分４４と第２の部分４６は、移動ケーブル２４と接触又は係合する。本実施例では、第２の部分４６は、移動ケーブル２４に接触するように構成された接触面４８を含む。また、本実施例における第２の部分４６は、接触面４８に隣接する案内面５０を含み、該案内面５０は、接触面４８と接触するように移動ケーブル２４を案内する。
【００４０】
端部２８と端部２６との間の移動ケーブル２４の長さは、通常、昇降路の長さ及びピットの深さに基づいて選択される。いくつかの実施例では、上記長さは、移動ケーブル２４の最下部（すなわち、固有の動的屈曲半径の中心）とピット床との間の距離Ｘが、ピット床とエレベータかご２２の床面との間の距離Ｈに対して、所定の関係を有するように選択される。一実施例では、エレベータの設置者は、式Ｘ＝（Ｈ−３６０）／２（式中、Ｘ及びＨはミリメートルで表わす）を満たすように、移動ケーブル２４の長さを選択する。
【００４１】
エレベータかご２２が昇降路底部に接近すると、移動ケーブル２４の一部は接触面４８及び装置４０の湾曲部分４４と接触する。エレベータかご２２の側面に対する第２の部分４６の位置（第１の部分４２の長さによって少なくとも部分的に決定される）によって、エレベータかご２２が昇降路内を十分に下方へと移動すると、移動ケーブル２４の部分３４の方向が変わる。昇降路内のより高い位置では、デフレクタ４０は、エレベータかご２２に対する移動ケーブル２４の位置に対して、（効果がある場合には）最小限の効果のみを有する。エレベータかご２２が十分に低い位置にあり、かつ移動ケーブル２４の部分３４が結果として十分短い場合、部分３４はデフレクタ４０によってエレベータかご２２の底部により近づく。
【００４２】
図４から分かるように、エレベータかご２２が、符号６０で概略的に示すピット床に接近すると、移動ケーブル２４の部分３４は、装置４０が存在しない場合にはピット床６０に接触してしまう。移動ケーブル２４の固有の屈曲半径により、結果的に移動ケーブル２４とピット床６０との間の接触が生じることとなる。デフレクタ４０は、ピット床６０との接触を回避するように、少なくとも部分３４の方向を変える。エレベータかご２２が昇降路内の最下階乗場位置６２に接近したときにデフレクタ４０によって移動ケーブル２４の部分３４の屈曲半径が変化するように、移動ケーブル２４の長さが選択される。
【００４３】
図５は、図４の配置からエレベータかごがピット床６０のより近傍へとさらに降下した後の状態を示している。本実施例では、エレベータかご２２は、最下階乗場位置６２の下方まで下降している。移動ケーブル２４の長さ、エレベータかご２２の垂直位置及びデフレクタ４０の存在により、移動ケーブル２４の部分３４はエレベータかご２２の下方において少なくとも部分的に平坦化されている。接触面４８は、エレベータかご２２の側面から移動ケーブル２４の一部を効果的に離間させるとともに、部分３４の固有の半径と異なる方向へと部分３４の方向を変える。換言すれば、デフレクタ４０は、部分３４とピット床６０との間の接触を回避するために、少なくとも移動ケーブル２４の部分３４の方向を変える。エレベータかごが昇降路内のより高い位置にあるときに比べて、エレベータかごが昇降路の底部近傍にあるときに、デフレクタ４０によって部分３４がエレベータかご２２の底部により近づくように容易に移動する。また、デフレクタ４０により、移動ケーブル２４とエレベータかご２２の下縁部との間の接触が回避される。
【００４４】
図示した実施例によれば、昇降路内におけるエレベータかご２２の移動の大部分に亘って、移動ケーブル２４がエレベータかご２２の下方に固有の動的屈曲半径を有することが可能となる。これにより、移動ケーブル２４の望ましくない揺れが回避される。上記の状況下では、エレベータかご２２が昇降路底部に接近したときに固有の動的屈曲半径が維持されていなくても、移動ケーブル２４の望ましくない揺れに関する問題は生じない。したがって、図示した実施例及び以下に説明する実施例によれば、移動ケーブルの固有の動的屈曲半径に対応することができない減少したピット深さを有することが可能となるとともに、昇降路内での移動ケーブルの望ましくない揺れを回避するために固有の動的屈曲半径を用いることができる。
【００４５】
図６は、移動ケーブル２４を保護する装置の他の例示的な実施例を概略的に示している。本実施例は、スリングからなるデフレクタ７０を含む。該スリングは、ブラケットを用いて移動ケーブル２４に固定されている第１の端部７２を有し、該ブラケットは、移動ケーブル２４の長さに沿った選択した位置において移動ケーブル２４の周囲に固定されている。スリング７０の第２の端部７４は、昇降路に対する所定位置に固定されている。本実施例では、第２の端部７４は、床面などの固定面７６の近傍に固定されている。スリング７０の長さは、移動ケーブル２４の長さよりも短い。スリング７０の第１の端部７２が移動ケーブル２４に固定される位置は、例えば、スリングの長さと、スリングの第２の端部７４とピット床６０との間の垂直距離とに基づいて選択される。上記説明を考慮することにより、当業者であれば、特定の状況におけるニーズを満たすように端部７４の位置を選択することができるであろう。
【００４６】
図６は、エレベータかご２２が昇降路内において、エレベータかご２２の下方に位置する部分３４の固有の動的屈曲半径に対応するのに十分な距離を有して、エレベータかご２２がピット床６０の上方に位置している例示的な状況を概略的に示している。図７は、昇降路内のより低い位置にあるエレベータかご２２を示しており、本実施例では、エレベータかご２２は最下階乗場位置６２に接近している。図７に示すように、エレベータかご２２が最下階乗場位置６２から距離ｈを隔てた上方に位置するとき、スリング７０はきつく引っ張られる。スリング７０は、エレベータかご２２の底部により近接した部分３４の移動を促進する。スリング７０により部分３４の方向が変わるため、部分３４は固有の動的屈曲半径を有していない。部分３４をエレベータかご２２の底部により近接させることにより、移動ケーブル２４の固有の屈曲半径に対応するために相対的に深いピット深さを必要とすることなく、エレベータかご２２がピット床６０に接近することができる。上記状態におけるエレベータかご２２の位置を考慮すれば、移動ケーブルの固有の動的屈曲半径が維持されていなくても、移動ケーブルの揺れに関する問題は生じない。
【００４７】
図８は、例示的なスリング７０の特徴部分を示している。スリング７０の端部７４の近傍には弾性部材７８が設けられている。弾性部材７８により、スリング７０にある程度の延伸と弾力性とがもたらされる。図８の説明と図７の説明とを比較すると、図８ではエレベータかご２２は最下階乗場位置６２まで下降している。距離ｈは、弾性部材７８の延伸によって調整される。
【００４８】
図９に示すように、エレベータかご２２が、ピット床６０近傍へとさらに下降すと、このエレベータかご２２のさらなる移動に対応するように、弾性部材７８は延伸し続ける。弾性部材７８のさらなる延伸つまり拡張は、図９における距離ｈ２＋ｘで表される。図８から分かるように、移動ケーブル２４には多少のたるみが依然としてあるものの、図９では、移動ケーブル２４のたるみは、より少ないかあるいは全くない。図８に示す位置にエレベータかごがあるときに比べ、図９に示す位置にエレベータかごがあるときには、移動ケーブル２４の部分３４は、エレベータかご２２の底部により近接するように引っ張られる。
【００４９】
一実施例では、弾性部材７８は、移動ケーブル２４及びスリング７０のあらゆる断線又は損傷を回避するばね定数を有するように選択される。一実施例では、弾性部材７８は、ばねからなる。上記説明の利益を享受する当業者であれば、特定の状況のニーズを満たすため、スリング７０及び弾性部材７８の適切な材料を選択することができるであろう。
【００５０】
一実施例では、昇降路の最上階乗場と最下階乗場との間に亘るエレベータかごの走行距離は、４５メートルである。デフレクタ７０の端部７２は、エレベータかご２２の底部から約９４２ミリメートルの地点において移動ケーブル２４に固定される。本実施例では、移動ケーブル２４の長さは約４４．５メートルである。エレベータかご２２の底部が最下階乗場位置の上方約０．５メートルにある場合、デフレクタ７０は、例えば、図７に示すように、きつく引っ張られる。本実施例では、図７に示す距離ｈは、約０．５メートルである。
【００５１】
上記一実施例では、移動ケーブル２４は、約０．５キログラム／メートルの単位長さ当たりの質量を有する。移動ケーブル２４の固有の動的屈曲半径は、３００ミリメートルである。上記一実施例では、エレベータかご２２の底部が十分に高い位置にあり、デフレクタ７０がきつく引っ張られていない場合、弾性部材７８は、約３．５キログラムのばね力を有する。デフレクタ７０がきつく引っ張られたとき、弾性部材７８は、約７．１キログラムのばね力を有する。エレベータかごが下降を続け、弾性部材７８が延伸すると、３８２ミリメートルの長さを有する弾性部材７８に７．４キロのばね力が対応する。また、本実施例では、４９３ミリメートルで９．５キロのばね力及び５９３ミリメートルで１１．５キロのばね力となる。
【００５２】
１つの特定の配置について説明してきたが、当業者であれば、特定のエレベータシステム構成に応じて、異なる長さ及びばね力が有用であることを理解されるであろう。
【００５３】
図１０は、移動ケーブル２４の保護に有用であるデフレクタ９０の他の実施例を概略的に示している。本実施例には、移動ケーブル２４に固定されたキャッチ部材９２が含まれる。リフト部材９４は、エレベータかご２２が昇降路内を十分に下降するとキャッチ部材９２に接触するように昇降路内に配置されている。
【００５４】
図１１は、エレベータかご２２が図１０に示す位置よりも下方に下降した状態にある図１０の実施例を示している。図１１では、キャッチ部材９２は、リフト部材９４のすぐ上方にあり、エレベータかご２２に支持されたアクチュエータ９６は、ムーバ９８のすぐ上方にある。エレベータかご２２が、図１１に示される位置から下方へ移動すると、アクチュエータ９６は、ムーバ９８に接触し、該ムーバ９８を（図示の）下方向に付勢する。
【００５５】
図１２から分かるように、エレベータかご２２の下方への移動に起因するムーバ９８の下方への移動によって、リフト部材９４及びキャッチ部材９２が上方へと移動する。本実施例では、ムーバ９８及びリフト部材９４は、プーリ１０２上を移動するケーブル１００にそれぞれ連結されており、このため、ムーバ９８が下方へと移動すると、これに応じてリフト部材９４が上方へと移動するようになっている。ばね１０４は、ムーバ９８及びリフト部材９４を互いに向けて図１０及び図１１の位置へと付勢する。エレベータかご２２の下降により、ムーバ９８がばね９４の付勢に対抗して移動し、これに応じてリフト部材９４が上方へと移動する。
【００５６】
キャッチ部材９２が移動ケーブル２４上の所定位置に固定されているため、リフト部材９４により生じるキャッチ部材９２の上方への移動は、エレベータかご２２より下方に位置する移動ケーブル２４の部分３４の半径を変化させる。キャッチ部材９２とエレベータかご２２底部との間における移動ケーブル２４の固定長と、リフト部材９４の位置と、により、エレベータかご２２の下方に位置する移動ケーブル２４の屈曲半径が減少する。エレベータかご２２がさらに下降すると、移動ケーブル２４の部分３４は、エレベータかご２２底部のより近傍へと移動する。
【００５７】
図示の構成によれば、昇降路内の多くの位置において移動ケーブル２４の固有の動的屈曲半径を用いることできるとともに、移動ケーブル２４の固有の動的屈曲半径にピット深さが対応していない場合であっても、エレベータかご２２が所望の最下位置まで到達することが可能となる。
【００５８】
エレベータかご２２が図１２の位置から昇降路内を上昇すると、ばね１０４によって、ムーバ９８及びリフト部材９４が、例えば、図１１に示す各位置へと戻る。エレベータかご２２がアクチュエータ９６とムーバ９８との接触位置よりも上方に位置しているときは、デフレクタ９０は、エレベータかご２２に対する移動ケーブル２４の位置に影響を与ることはない。これにより、移動ケーブル２４の固有の動的屈曲半径が存在することができ、したがって、エレベータかご２２の移動の大部分において移動ケーブル２４の望ましくない揺れが回避される。
【００５９】
開示した各実施例において、移動ケーブル２４の最下部（点）と、エレベータかご２２の底部との間の距離が移動ケーブル２４の固有の動的屈曲半径よりも小さくなるように、デフレクタによって、移動ケーブル２４が効果的にエレベータかご２２の下方に延在することが可能となる。各実施例では、構成要素の位置及び移動ケーブル２４の長さは、移動ケーブル２４の少なくとも静的屈曲半径に対応するように選択される。当業者であれば、移動ケーブルの静的屈曲半径は、ケーブルの過度の屈曲や折畳みによって生じ得るケーブルの損傷を回避するために必要とされる最小の静的屈曲半径として、ケーブル製造業者によって決定されるということを理解されるであろう。
【００６０】
図示した例示的なエレベータ用移動ケーブルを保護する装置により、エレベータかご２２が昇降路底部に接近したときに、移動ケーブル２４の部分３４がエレベータかご２２の底面により近接するように容易に移動する。各実施例によれば、移動ケーブルの固有の動的屈曲半径に対応することができない浅いピット深さを利用するができる。図示した各実施例によれば、昇降路の幅を拡大することなく、移動ケーブルを保護することができる。昇降路幅の拡大を回避することにより、エレベータシステムが占める空間を減少させるという目標を達成することができる。また、開示された実施例によれば、移動ケーブルの望ましくない揺れを回避することができる。図示した実施例によれば、昇降路内で最小のピット深さしか利用できない場合であっても、経済的で信頼性の高いエレベータ用移動ケーブルの保護手段を提供することができる。
【００６１】
いくつかの例を別個の実施例として開示しているが、開示した実施例のうち任意の実施例の１つまたは複数の特徴部を他の特徴部と組み合わせてもよい。
【００６２】
前述の説明は、限定的なものではなく例示的なものである。当業者であれば、本発明の本質から必ずしも逸脱しない、開示した実施例に対する変形形態及び修正形態を理解されるであろう。本発明に与えられる法的保護の範囲は、以下の特許請求の範囲を検討することによってのみ、決定され得る。
【図１】
2015506884.tif 000003
【図２】
2015506884.tif 000004
【図３】
2015506884.tif 000005
【図４】
2015506884.tif 000006
【図５】
2015506884.tif 000007
【図６】
2015506884.tif 000008
【図７】
2015506884.tif 000009
【図８】
2015506884.tif 000010
【図９】
2015506884.tif 000011
【図１０】
2015506884.tif 000012
【図１１】
2015506884.tif 000013
【図１２】
2015506884.tif 000014
【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
エレベータかごに接続されたエレベータ用移動ケーブルを保護する装置であって、
エレベータかご又は前記移動ケーブルの少なくとも一方に固定されるように構成されたデフレクタを備え、
前記デフレクタは、前記エレベータかごが昇降路底部の上方における少なくとも選択された高さにあるときに、前記移動ケーブルが、対応するエレベータかごの下方において、前記エレベータかごの底部から第１の距離に亘って延在することを可能にし、前記第１の距離は、前記移動ケーブルの固有の動的屈曲半径に少なくとも等しく、
前記デフレクタは、前記エレベータかごが前記選択された高さより下方にあるときに、前記移動ケーブルが、前記エレベータかごの底部の下方において、前記固有の動的屈曲半径よりも小さい第２の距離に亘って延在することを促進し、
前記デフレクタはスリングを備え、該スリングは、前記移動ケーブルに固定されるように構成された第１の端部と、前記昇降路の静止面に固定されるように構成された第２の端部と、を有することを特徴とする装置。
【請求項２】
前記デフレクタは、前記静止面に対して前記スリングを弾性的に支持するために、前記スリングの前記第１の端部又は前記第２の端部のうちの少なくとも一方の近傍に弾性部材を備えることを特徴とする請求項１に記載の装置。
【請求項３】
前記デフレクタが、ばねを備えることを特徴とする請求項２に記載の装置。
【請求項４】
エレベータかごに接続されたエレベータ用移動ケーブルを保護する装置であって、
エレベータかご又は前記移動ケーブルの少なくとも一方に固定されるように構成されたデフレクタを備え、
前記デフレクタは、前記エレベータかごが昇降路底部の上方における少なくとも選択された高さにあるときに、前記移動ケーブルが、対応するエレベータかごの下方において、前記エレベータかごの底部から第１の距離に亘って延在することを可能にし、前記第１の距離は、前記移動ケーブルの固有の動的屈曲半径に少なくとも等しく、
前記デフレクタは、前記エレベータかごが前記選択された高さより下方にあるときに、前記移動ケーブルが、前記エレベータかごの底部の下方において、前記固有の動的屈曲半径よりも小さい第２の距離に亘って延在することを促進し、
前記デフレクタは、
前記移動ケーブルに固定されたキャッチ部材と、
前記エレベータかご底部の下方において前記移動ケーブルが前記第２の距離に亘って延在することを促進するように前記キャッチ部材と協働するリフト部材と、
を備えることを特徴とする装置。
【請求項５】
前記デフレクタは、前記リフト部材に関連付けられたムーバを備え、
前記ムーバは、前記エレベータかごが前記選択された高さより下方に移動すると、これに応じて前記リフト部材を移動させるように構成されていることを特徴とする請求項４に記載の装置。
【請求項６】
前記ムーバの下方への移動によって前記リフト部材が上方に移動するように、前記リフト部材及び前記ムーバが互いに連結されていることを特徴とする請求項５に記載の装置。
【請求項７】
前記エレベータかごに支持されるように構成されたアクチュエータを備え、
前記エレベータかごが前記選択された高さより下方に移動したときに、前記アクチュエータによって前記ムーバが下方へと移動するように、アクチュエータが前記エレベータかごに支持されていることを特徴とする請求項５に記載の装置。
【請求項８】
昇降路内で移動するように支持されたエレベータかごと、
前記昇降路に対する所定位置において支持された１つの端部と、前記エレベータかごに連結された他の１つの端部と、を有する移動ケーブルと、
前記エレベータかご又は前記移動ケーブルの少なくとも一方に固定されるように構成されたデフレクタと、
を備えるエレベータシステムであって、
前記デフレクタは、前記エレベータかごが昇降路底部の上方における少なくとも選択された高さにあるときに、前記移動ケーブルが、対応するエレベータかごの下方において、前記エレベータかごの底部から第１の距離に亘って延在することを可能にし、前記第１の距離は、前記移動ケーブルの固有の動的屈曲半径に少なくとも等しく、
前記デフレクタは、前記エレベータかごが前記選択された高さより下方にあるときに、前記移動ケーブルが、前記エレベータかごの底部の下方において、前記固有の動的屈曲半径よりも小さい第２の距離に亘って延在することを促進し、
前記デフレクタが、前記移動ケーブルに固定された第１の端部と、前記昇降路の静止面に固定された第２の端部と、を有するスリングを備え、該スリングは、前記移動ケーブルの長さよりも短い長さを有することを特徴とするエレベータシステム。
【請求項９】
前記デフレクタが、前記静止面に対して前記スリングを弾性的に支持するために、前記スリングの前記第２の端部の近傍に弾性部材を備えることを特徴とする請求項８に記載のエレベータシステム。
【請求項１０】
前記デフレクタがばねを備えることを特徴とする請求項９に記載のエレベータシステム。
【請求項１１】
昇降路内で移動するように支持されたエレベータかごと、
前記昇降路に対する所定位置において支持された１つの端部と、前記エレベータかごに連結された他の１つの端部と、を有する移動ケーブルと、
前記エレベータかご又は前記移動ケーブルの少なくとも一方に固定されるように構成されたデフレクタと、
を備えるエレベータシステムであって、
前記デフレクタは、前記エレベータかごが昇降路底部の上方における少なくとも選択された高さにあるときに、前記移動ケーブルが、対応するエレベータかごの下方において、前記エレベータかごの底部から第１の距離に亘って延在することを可能にし、前記第１の距離は、前記移動ケーブルの固有の動的屈曲半径に少なくとも等しく、
前記デフレクタは、前記エレベータかごが前記選択された高さより下方にあるときに、前記移動ケーブルが、前記エレベータかごの底部の下方において、前記固有の動的屈曲半径よりも小さい第２の距離に亘って延在することを促進し、
前記デフレクタは、
前記移動ケーブルに固定されたキャッチ部材と、
前記エレベータかごの底部の下方において前記移動ケーブルが前記第２の距離に亘って延在することを促進するように前記キャッチ部材と協働するリフト部材と、
を備えることを特徴とするエレベータシステム。
【請求項１２】
前記デフレクタは、前記リフト部材に関連付けられたムーバを備え、
前記ムーバは、前記エレベータかごが前記選択された高さより下方に移動すると、これに応じて前記リフト部材を移動させるように構成されていることを特徴とする請求項１１に記載のエレベータシステム。
【請求項１３】
前記ムーバの下方への移動により、前記リフト部材が上方に移動するように、前記リフト部材及び前記ムーバが共に連結されていることを特徴とする請求項１２に記載のエレベータシステム。
【請求項１４】
前記エレベータかごに支持されるように構成されたアクチュエータを備え、
前記エレベータかごが前記選択された高さより下方に移動すると、前記アクチュエータにより前記ムーバが下方へと移動することを特徴とする請求項１２に記載のエレベータシステム。
【国際調査報告】
2015506884.tif 000015
2015506884.tif 000016